(57)【要約】【課題】本発明は、取付けるべきネームプレートの数に応じて、外観の見栄えを損なうことなく、レイアウトの変更を容易に行える廊下灯ユニットを提供することにある。【解決手段】廊下灯ユニット１１は、本体ケース２１と、本体ケース２１に設けられる取付部２５に装着される複数の表示ユニット２４とを備える。表示ユニット２４は、縦方向にＨ、横方向にＬの大きさであり、取付部２５に固定されるための係合部４２を背面に有する。取付部２５は、表示ユニット２４をα行β列に配置できる大きさであり、係合部４２に対応する装着部Ｐｍｎを（２α−１）行（２β−１）列の正方配列に設け、前記列に沿う方向に一つ置きに位置する装着部Ｐｍｎどうしの中心間距離はＨであり、前記行に沿う方向に一つ置きに位置する装着部Ｐｍｎどうしの中心間距離はＬである。【選択図】      図２
2006296851.tif 000002
【特許請求の範囲】
【請求項１】
部屋の入口の近くに廊下側に面して取付けられる本体ケースと、
前記本体ケースに設けられる取付部に装着される複数の表示ユニットと、を備え、
前記表示ユニットは、
縦方向にＨ、横方向にＬの大きさであり、
前記取付部に固定されるための係合部を背面に有し、
前記取付部は、
前記表示ユニットをα行β列に配置できる大きさであり、
前記係合部に対応する装着部を（２α−１）行（２β−１）列の正方配列に設け、
前記列に沿う方向に一つ置きに位置する前記装着部どうしの中心間距離は、Ｈであり、
前記行に沿う方向に一つ置きに位置する前記装着部どうしの中心間距離は、Ｌである
ことを特徴とする廊下灯ユニット。
【請求項２】
前記部屋から離れた場所に設置される親機と前記部屋の中に設置される複数の子機との間の通信を処理する制御部と、
前記装着部に配置され、前記制御部によってプラスに印加される第１のケース端子と、
前記装着部に配置され、前記制御部によってグランドに接地される第２のケース端子と、
前記係合部に配置され、前記第１のケース端子および前記第２のケース端子の一方に接続される第１のユニット端子と、
前記係合部に配置され、前記第１のケース端子および前記第２のケース端子の他方に接続される第２のユニット端子と、
前記表示ユニットに内蔵され、前記第１のユニット端子と前記第２のユニット端子との間に接続される発光部と、
前記表示ユニットに内蔵され、前記表示ユニットの外部から操作されることで前記第１のユニット端子と前記第２のユニット端子との間の電流量を変化させる電流量変更手段と
をさらに備えることを特徴とする請求項１に記載の廊下灯ユニット。
【請求項３】
前記表示ユニットは、
前記係合部に配置される第３のユニット端子と、
前記第３のユニット端子と前記第２のユニット端子との間に接続され、前記第１のユニット端子と前記第２のユニット端子との間の電流量と異なる電流量を導通させる抵抗器とを備え、
前記第３のユニット端子は、
前記表示ユニットがいずれかの前記装着部に取付けられた状態で、前記第１のユニット端子が接続される前記第１のケース端子または前記第２のケース端子と同じ方のケース端子と接続される
ことを特徴とする請求項２に記載の廊下灯ユニット。
【請求項４】
前記装着部は、
同じ列で隣合う前記装着部どうしの中心間距離がＨ／２、
同じ行で隣合う前記装着部どうしの中心間距離がＬ／２
に設定されることを特徴とする請求項１に記載の廊下灯ユニット。
【請求項５】
前記表示ユニットは、前記係合部に少なくとも１つの結合子を有し、
前記取付部は、各前記装着部に取付けられる前記表示ユニットの前記結合子と対応する位置に結合部材を有する
ことを特徴とする請求項１から請求項４のいずれか１項に記載の廊下灯ユニット。
【請求項６】
前記表示ユニットは、Ｋ個の前記結合子を備え、
前記取付部は、各前記装着部にＫ個、かつ全体で（（２α−１）×（２β−１）×Ｋ）個よりも少ない個数の前記結合部材を備える
ことを特徴とする請求項５に記載の廊下灯ユニット。
【請求項７】
前記表示ユニットが前記結合子を少なくとも２つ以上備える場合、複数の前記結合子どうしは、前記列に沿う方向についてＨ／２離れる間隔および前記行に沿う方向についてＬ／２離れる間隔の少なくとも一方の間隔を隔てて配置されることを特徴とする請求項６に記載の廊下灯ユニット。
【請求項８】
前記制御部は、
前記子機から操作信号が入力された場合に前記子機に対応する前記表示ユニットの前記発光部を第１の点灯状態から第２の点灯状態に変化させ、
前記電流量変更手段が操作されたことを検出して前記第２の点灯状態の前記発光部を前記第１の点灯状態にする
ことを特徴とする請求項２に記載の廊下灯ユニット。
【請求項９】
前記表示ユニットは、前記係合部に少なくとも１つの結合子を有し、
前記取付部は、各前記装着部に取付けられる前記表示ユニットの前記結合子と対応する位置に結合部材を有し、
前記第１のケース端子と前記第２のケース端子は、前記結合部材に配置され、
前記第１のユニット端子と前記第２のユニット端子は、前記結合子に配置される
ことを特徴とする請求項２に記載の廊下灯ユニット。
【請求項１０】
前記取付部に（α×β）個未満の前記表示ユニットが装着される場合、
前記表示ユニットが装着される以外の前記取付部へ前記表示ユニットの表示面と面一に装着されるブランク部材をさらに備えることを特徴とする請求項１に記載の廊下灯ユニット。
【発明の詳細な説明】
【技術分野】
【０００１】
本発明は、病室の入口近辺の廊下に設置され、入院患者の氏名等を表示する廊下灯ユニットに関する。
【背景技術】
【０００２】
一般に、ナースコールシステムは、ナースセンターに設置される親機と病室内の寝台毎に設けられる子機と、廊下灯ユニットとを備える。廊下灯ユニットは、病室の入口近辺の廊下に設置される。特に、特許文献１に記載された廊下灯ユニットは、患者の氏名等が記入されたネームプレート等を差し込む個人情報表示窓と、この表示窓の側部に配置された表示灯とを備える。
【０００３】
子機に接続されている呼出ボタンを患者等が操作すると、ナースセンターにある親機に通報されるとともに、その患者のネームプレートに対応する表示灯が点灯する。これにより、医療従事者は、呼出ボタンを操作した患者のもとへ直ちに駆けつけることができる。また、廊下灯に設けられている表示灯が点灯するので、巡回中の医療従事者も呼出しに対応することができる。  
この廊下灯ユニットは、病室に設けられる寝台の数に応じる数の個人情報表示窓が設けられたフレームを備える。
【特許文献１】特開２００４−９４７６４号公報
【発明の開示】
【発明が解決しようとする課題】
【０００４】
入院病棟において、複数名の患者を収容する共同タイプの病室が一般的である。この場合、特許文献１に記載の廊下灯ユニットは、ネームプレートを装着する位置が予め決められている。例えば、６人部屋用の廊下灯では、６つのネームプレート装着部が設けられ、８人部屋用の廊下灯では、８つのネームプレート装着部が設けられている。この廊下灯を使用する場合、病室の定員数と入院患者数が同数であれば、全てのネームプレートに氏名等が記入され、空欄が生じることはない。しかし病室には、常に病室の定員数と同数の患者を収容しているわけではない。例えば６人用の病室に４人、あるいは、３人を収容する場合も生じる。
【０００５】
このような場合、廊下灯は、各患者が使用する子機に対応する箇所に入院患者のネームプレートが取付けられる。残りの部分は、無地のプレートが取付けられた状態で使用される。このような状態で廊下灯が使用されると、外観上の見栄えがあまり良くない。
【０００６】
また、廊下を見渡したときのデザイン性を考慮すると、定員数が異なる病室に対しても、同じ廊下灯を採用したい要望もある。このような場合に前記特許文献１に記載の廊下灯を用いると、定員数が最大の病室に合わせたタイプの廊下灯が設置されることになる。定員数がそれより少ない病室では、廊下灯の表示面をその定員数に合わせてレイアウトおよび表示灯の配線などを作りかえる必要がある。しかし、数多く生産されるものでもないので、１つ当たりの製造単価は高くなる。
【０００７】
本発明は、取付けるべきネームプレートの数に応じて、外観の見栄えを損なうことなく、レイアウトの変更を容易に行える廊下灯ユニットを提供することにある。
【課題を解決するための手段】
【０００８】
本発明に係る廊下灯ユニットは、部屋の入口の近くに廊下側に面して取付けられる本体ケースと、この本体ケースに設けられる取付部に装着される複数の表示ユニットとを備える。表示ユニットは、縦方向にＨ、横方向にＬの大きさであり、取付部に固定されるための係合部を背面に設ける。取付部は、表示ユニットをα行β列に配置できる大きさである。取付部には、係合部に対応する装着部を（２α−１）行（２β−１）列の正方配列に設ける。列に沿う方向に一つ置きに位置する装着部どうしの中心間距離はＨであり、行に沿う方向に一つ置きに位置する装着部どうしの中心間距離はＬである。
【０００９】
また、本発明に係る他の形態は、制御部と第１のケース端子と第２のケース端子と第１のユニット端子と第２のユニット端子と発光部と電流量変更手段とをさらに備える。制御部は、部屋から離れた場所に設置される親機と部屋の中に設置される複数の子機との間の通信を処理する。第１のケース端子は、装着部に配置され、制御部によってプラスに印加される。第２のケース端子は、装着部に配置され、制御部によってグランドに接地される。第１のユニット端子は、係合部に配置され、第１のケース端子および第２のケース端子の一方に接続される。第２のユニット端子は、係合部に配置され、第１のケース端子および第２のケース端子の他方に接続される。発光部は、表示ユニットに内蔵され、第１のユニット端子と第２のユニット端子との間に接続される。電流量変更手段は、表示ユニットに内蔵され、表示ユニットの外部から操作されることで第１のユニット端子と第２のユニット端子との間の電流量を変化させる。
【００１０】
本発明に係る廊下灯ユニットの他の形態において、表示ユニットは、第３のユニット端子と抵抗器とをさらに備える。第３のユニット端子は、係合部に配置される。第３のユニット端子は、表示ユニットがいずれかの装着部に取付けられた状態で、第１のユニット端子が接続される第１のケース端子または第２のケース端子と同じ方のケース端子に接続される。抵抗器は、第３のユニット端子と第２のユニット端子との間に接続され、第１のユニット端子と第２のユニット端子との間の電流量と異なる電流量を導通させる。  
また、装着部は、同じ列で隣合う装着部どうしの中心間距離がＨ／２、同じ行で隣合う装着部どうしの中心間距離がＬ／２に設定されることが好ましい。
【００１１】
本発明に係る廊下灯ユニットのさらに他の形態において、表示ユニットは、係合部に少なくとも１つの結合子を有する。取付部は、各装着部に取付けられる表示ユニットの結合子と対応する位置に結合部材を有する。この場合、表示ユニットは、Ｋ個の結合子を備え、取付部は、各装着部にＫ個、かつ全体で（（２α−１）×（２β−１）×Ｋ）個よりも少ない個数の結合部材を備えると、形状がシンプルになり好ましい。  
または、表示ユニットが結合子を少なくとも２つ以上備える場合、複数の結合子どうしは、列に沿う方向についてＨ／２離れる間隔および行に沿う方向についてＬ／２離れる間隔の少なくとも一方の間隔を隔てて配置されることが好ましい。  
または、制御部は、子機から操作信号が入力された場合に子機に対応する表示ユニットの発光部を第１の点灯状態から第２の点灯状態に変化させ、電流量変更手段が操作されたことを検出して第２の点灯状態の発光部を第１の点灯状態にする。  
また、端子どうしの接続状態をより確実にするために、第１のケース端子と第２のケース端子は、結合部材に配置し、第１のユニット端子と第２のユニット端子は、結合子に配置する。
【００１２】
病室の定員数に応じて表示ユニットをレイアウトした場合に生じる空き部分の見栄えをよくするために、廊下灯ユニットは、ブランク部材をさらに備える。このブランク部材は、取付部に（α×β）個未満の前記表示ユニットが装着される場合、表示ユニットが装着される以外の取付部へ表示ユニットの表示面と面一に装着する。
【発明の効果】
【００１３】
本発明に係る廊下灯ユニットによれば、ネームプレートを有する表示ユニットの装着位置を、患者数に合わせて容易に変更することができる。このため、廊下灯ユニットは、在室する患者の数に応じて、任意の数のネームプレートを見栄え良く配置することができる。
【発明を実施するための最良の形態】
【００１４】
まず本発明に係る第１の実施形態の廊下灯ユニットについて、６人部屋用の廊下灯ユニット１１を一例に、図１から図５を参照して説明する。  
図１に、廊下灯ユニット１１を含むナースコールシステム１３の構成を模式的に示す。ナースコールシステム１３は、廊下灯ユニット１１に加え、親機１４と複数の子機１５とを備える。廊下灯ユニット１１は、病室の入口の近くに廊下側に面して取付けられる。親機１４は、病室から離れたナースセンターに設置される。子機１５は各病室に設置される寝台の近くの壁に配置される。子機１５には、各々握ボタン１６が接続されている。
【００１５】
廊下灯ユニット１１は、廊下灯本体１２と、廊下灯本体１２を制御する制御部１７とを備える。制御部１７は、廊下灯本体１２、親機１４、および子機１５に有線で接続されている。制御部１７は、親機１４と子機１５との間の通信を処理する。なお、図１において、親機１４に対して廊下灯ユニット１１は、１台しか接続されていないが、病室の数に応じて、多数設けられる。
【００１６】
廊下灯本体１２は、図２に示すように、本体ケース２１と表示ユニット２４とを備える。本体ケース２１は、病室番号表示部２２、代表灯２３、および取付部２５を有する。病室番号表示部２２には、病室番号の他、病室が備える設備などが表示される。代表灯２３は、その病室内にある子機１５の握ボタン１６が患者等によって操作されると点灯する。代表灯２３は、廊下の壁よりも突出しているので、離れた位置からでも視認性がよく、医療従事者が認知しやすい。
【００１７】
取付部２５は、本体ケース２１の前面において、病室番号表示部２２の下側に設けられる。取付部２５には、複数の表示ユニット２４が装着される。本実施形態に係る廊下灯ユニット１１は、６人部屋用の廊下灯ユニットであり、取付部２５は、最大６個の表示ユニット２４を３行２列の正方配列に装着可能な大きさである。
【００１８】
本実施形態においては、表示ユニット２４を正面から見て、縦の長さをＨ、横の長さをＬとし、この表示ユニット２４が配置される取付部２５の縦の長さは３Ｈ、横の長さは２Ｌとなる。なお、表示ユニット２４の配列は、α行β列に配置して６個の表示ユニットを取付けられれば、３行２列に限定されない。
【００１９】
また表示ユニット２４は、図２に示すように、表示ユニットケース４１と係合部４２とネームプレート５１とプレート保持部材５２とを備える。  
表示ユニットケース４１の背面には、係合部４２が設けられている。係合部４２は、離間して設けられた第１から第３の結合子６４，６５，６６、および支持結合子６７を有する。
【００２０】
図２に示すように、第２の結合子６５は、表示ユニット２４の背面左上方に設けられた第１の結合子６４を基準として、横方向にＬ／２の間隔をあけて配置される。また、第３の結合子６６は、第１の結合子６４を基準として、縦方向にＨ／２の間隔をあけて配置される。支持結合子６７は、第２の結合子６５を基準として、縦方向にＨ／２の間隔をあけて配置される。
【００２１】
取付部２５は、表示ユニット２４が装着される（Ｈ×Ｌ）の大きさをもつ装着部Ｐｍｎが設けられている。装着部Ｐｍｎは、縦方向にＨ／２の等間隔で５行、横方向にＬ／２の等間隔で３列の正方配列に設定される。すなわち装着部Ｐｍｎの一部は、隣合う装着部の一部と重複するように、本実施形態では行および列に沿って隣合うものどうしが半分ずつ重なり合って設けられる。
【００２２】
また、取付部２５は、表示ユニット２４の結合子６４〜６６に対応する結合部材としての嵌合部Ｓｖｗを備える。図２に示す嵌合部Ｓｖｗは、縦方向にＨ／２の等間隔で６行、横方向にＬ／２の等間隔で４列の正方配列に設けられている。
【００２３】
このように各結合子６４〜６７と嵌合部Ｓｖｗとが配置されることで、表示ユニット２４の係合部４２が本体ケース２１の各装着部Ｐｍｎに装着されるとき、結合子６４，６５，６６，６７が、それぞれ嵌合部Ｓｖｗに挿入され、表示ユニット２４が本体ケース２１に固定される。
【００２４】
結合子６４，６５，６６，６７の直径に対し、嵌合部Ｓｖｗの内径は、手前側で隙間嵌め、奥まった部分で締り嵌めとなるわずかなテーパーもしくは段差を有している。結合子６４，６５，６６，６７は、先端部を２つに分ける切欠部６８を有する。従って、各結合子６４〜６７を嵌合部Ｓｖｗに嵌合させたとき、各結合子６４〜６７が嵌合部Ｓｖｗの形状に合わせて適度に弾性変形する。これにより、各結合子６４〜６７は、嵌合部Ｓｖｗに挿入されることで嵌合部Ｓｖｗに固定される。
【００２５】
ここで、装着部Ｐｍｎのｍを行数、ｎを列数に置き換え、嵌合部Ｓｖｗのｖを行数、ｗを列数に置き換えて、以下に表示ユニット２４のレイアウトについて説明する。装着部Ｐｍｎの配列の基点は、図１において、取付部２５を正面視して最上行左端部とし、装着部Ｐ  １１と表記する。  
嵌合部Ｓｖｗの配列の基点は、図１において、取付部２５を正面視して最上行左端部とし、第１行第１列を嵌合部Ｓ１１と表記する。  
この嵌合部Ｓ１１は、取付部２５を正面視して左上部のコーナーから、縦方向にＨ／４、横方向にＬ／４だけ離して配置される。
【００２６】
本実施形態において、装着部Ｐｍｎと、この装着部Ｐｍｎに表示ユニット２４が取付けられる場合に使用される嵌合部Ｓｖｗとの関係は、次のようになる。  
装着部Ｐ１１に表示ユニット２４が取付けられる場合、嵌合部Ｓ１１，Ｓ１２，Ｓ２１，Ｓ２２が使用される。装着部Ｐ１２に表示ユニット２４が取付けられる場合、嵌合部Ｓ１２，Ｓ１３，Ｓ２２，Ｓ２３が使用される。装着部Ｐ１３に表示ユニット２４が取付けられる場合、嵌合部Ｓ１３，Ｓ１４，Ｓ２３，Ｓ２４が使用される。
【００２７】
装着部Ｐ２１に表示ユニット２４が取付けられる場合、嵌合部Ｓ２１，Ｓ２２，Ｓ３１，Ｓ３２が使用される。装着部Ｐ２２に表示ユニット２４が取付けられる場合、嵌合部Ｓ２２，Ｓ２３，Ｓ３２，Ｓ３３が使用される。装着部Ｐ２３に表示ユニット２４が取付けられる場合、嵌合部Ｓ２３，Ｓ２４，Ｓ３３，Ｓ３４が使用される。
【００２８】
装着部Ｐ３１に表示ユニット２４が取付けられる場合、嵌合部Ｓ３１，Ｓ３２，Ｓ４１，Ｓ４２が使用される。装着部Ｐ３２に表示ユニット２４が取付けられる場合、嵌合部Ｓ３２，Ｓ３３，Ｓ４２，Ｓ４３が使用される。装着部Ｐ３３に表示ユニット２４が取付けられる場合、嵌合部Ｓ３３，Ｓ３４，Ｓ４３，Ｓ４４が使用される。
【００２９】
装着部Ｐ４１に表示ユニット２４が取付けられる場合、嵌合部Ｓ４１，Ｓ４２，Ｓ５１，Ｓ５２が使用される。装着部Ｐ４２に表示ユニット２４が取付けられる場合、嵌合部Ｓ４２，Ｓ４３，Ｓ５２，Ｓ５３が使用される。装着部Ｐ４３に表示ユニット２４が取付けられる場合、嵌合部Ｓ４３，Ｓ４４，Ｓ５３，Ｓ５４が使用される。
【００３０】
装着部Ｐ５１に表示ユニット２４が取付けられる場合、嵌合部Ｓ５１，Ｓ５２，Ｓ６１，Ｓ６２が使用される。装着部Ｐ５２に表示ユニット２４が取付けられる場合、嵌合部Ｓ５２，Ｓ５３，Ｓ６２，Ｓ６３が使用される。装着部Ｐ５３に表示ユニット２４が取付けられる場合、嵌合部Ｓ５３，Ｓ５４，Ｓ６３，Ｓ６４が使用される。  
各装着部Ｐｍｎ内には必ず４つの嵌合部Ｓｖｗが配置されることになる。
【００３１】
第２行の嵌合部Ｓ２ｗは、第１行および第２行の装着部Ｐ１ｎ，Ｐ２ｎで共有され、第３行の嵌合部Ｓ３ｗは、第２行および第３行の装着部Ｐ２ｎ，Ｐ３ｎで共有され、第４行の嵌合部Ｓ４ｗは、第３行および第４行の装着部Ｐ３ｎ，Ｐ４ｎで共有され、第５行の嵌合部Ｓ５ｗは、第４行および第５行の装着部Ｐ４ｎ，Ｐ５ｎで共有される。  
また、第２列の嵌合部Ｓｖ２は、第１列および第２列の装着部Ｐｍ１，Ｐｍ２で共有され、第３列の嵌合部Ｓｖ３は、第２列および第３列の装着部Ｐｍ２，Ｐｍ３で共有される。
【００３２】
次に、廊下灯ユニット１１の電気系統について説明する。第２列および第４列の嵌合部Ｓｖ２，Ｓｖ４は、第１のケース端子３６を備える。第１のケース端子３６は、制御部１７に接続されており、制御部１７を介してプラスに印加される。第１列および第３列の嵌合部Ｓｖ１，Ｓｖ３は、第２のケース端子３７を備える。第２のケース端子３７は、制御部１７に接続されており、制御部１７を介してグランドに接地される。
【００３３】
表示ユニット２４は、図３で示すように、表示ユニットケース４１の中に、基盤４３とばね４４と支持板４５とを有する。  
表示ユニットケース４１は、前側（表示側）に向けて開口する凹部４１ａを有する。凹部４１ａの内面に沿って段差部４１ｂが設けられる。段差部４１ｂは、前面に向けて開口する取付穴４１ｃを有する。取付穴４１ｃには、ばね４４が取付られている。
【００３４】
また第１の結合子６４は、切欠部６８の近傍に、第１のユニット端子７１を有する。第１のユニット端子７１は、第１の結合子６４が嵌合部Ｓｖｗに嵌合したときに、嵌合部Ｓｖｗが有する第１のケース端子３６または第２のケース端子３７に接続される。同様に、第２の結合子６５は、第２のユニット端子７２を有し、第３の結合子６６は、第３のユニット端子７３を有する。  
第２のユニット端子７２は、第１のユニット端子７１が接続される第１のケース端子３６または第２のケース端子３７と異なる側のケース端子に接続される。第３のユニット端子７３は、第１のユニット端子７１が接続される側と同じ側のケース端子に接続される。
【００３５】
前述したように、本実施形態において、第２列および第４列の嵌合部Ｓｖ２，Ｓｖ４が、第１のケース端子３６を有し、第１列および第３列の嵌合部Ｓｖ１，Ｓｖ３が第２のケース端子３７を有する。従って、第１のユニット端子７１が第１のケース端子３６と接続された場合、第２のユニット端子７２が第２のケース端子３７と接続され、第３のユニット端子７３が第１のケース端子３６と接続されることになる。  
一方、第１のユニット端子７１が第２のケース端子３７と接続された場合、第２のユニット端子７２が第１のケース端子３６と接続され、第３のユニット端子７３が第２のケース端子３７と接続されることになる。
【００３６】
基盤４３は、表示ユニットケース４１の凹部４１ａの最奥部の底壁４１ｄに取付けられる。基盤４３には、回路７７が設けられており、発光部としての複数のＬＥＤ（発光ダイオード）７５、ならびに電流量変更手段としての接触スイッチ７６および抵抗器８５が実装されている。
【００３７】
接触スイッチ７６は、基盤４３が底壁４１ｄに取付けられた状態で、接触スイッチ７６のボタン７６ａが、段差部４１ｂより前側に突出するように位置が調整されている。  
回路７７は、基盤４３を介して、第１のユニット端子７１、第２のユニット端子７２、および第３のユニット端子７３と電気的に接続される。回路７７は、図４に示すように、第１から第３の配線８１，８２，８３を有する。  
第１の配線８１は、第１のユニット端子７１と第２のユニット端子７２との間を接続する途中に、ブリッジ回路８４を有する。ブリッジ回路８４は、ＬＥＤ７５に接続されている。図４に示す回路７７には、１つのＬＥＤ７５しか接続されていないが、並列に複数接続され、図３に示すように配置される。  
これにより、第１のユニット端子７１および第２のユニット端子７２のどちらが第１のケース端子３６、すなわちプラス側に接続されても、ＬＥＤ７５に電力が供給されて発光することになる。
【００３８】
第２の配線８２は、第１のユニット端子７１と第２のユニット端子７２との間を、第１の配線８１と並列回路を構成するように接続する。第２の配線８２の途中には、接触スイッチ７６と第１の抵抗器８５が直列に接続される。接触スイッチ７６は、外力が作用しない状態では、ＯＦＦの遮断状態を保つ接触スイッチである。  
接触スイッチ７６が外部から操作され、接触スイッチ７６がＯＮの導通状態になると、第２の配線８２に電流が流れる。第２の配線８２は、第１の抵抗器８５を有するので、第１のユニット端子７１と第２のユニット端子７２との間に流れる電流量が変化する。
【００３９】
第３の配線８３は、第３のユニット端子７３と第２のユニット端子７２との間を接続する。第３の配線８３の途中には、第２の抵抗器８６が接続されている。第２の抵抗器８６の抵抗値の大きさは、第１のユニット端子７１と第２のユニット端子７２との間の合計の抵抗値と異なる値である。  
従って、第１と第３のユニット端子７１，７３に同じ電圧を加える場合、第３のユニット端子７３と第２のユニット端子７２との間に流れる電流量は、第１のユニット端子７１と第２のユニット端子７２との間に流れる電流量とは異なる。
【００４０】
支持板４５は、表示ユニットケース４１の凹部４１ａを覆うように、基盤４３の前面側に配置され、取付穴４１ｃに挿入されたばね４４により前方へ付勢されている。プレート保持部材５２は、表示ユニットケース４１の前面に取付けられ、中央に開口部５２ａを有する。この開口部５２ａには、内側に向かってプレート支持部５２ｂが形成されている。ネームプレート５１は、この開口部５２ａを通して、プレート支持部５２ｂと支持板４５との間の空間に挿入される。プレート保持部材５２は、ネームプレート５１が、装着された状態で、支持板４５が接触スイッチ７６のボタン７６ａを押さない程度に、段差部４１ｂから浮いた位置に保持する。
【００４１】
従って、医療従事者が、プレート保持部材５２の開口部５２ａを通じて、ばね４４の力に抗してネームプレート５１を押すことで、ネームプレート５１と支持板４５とは共に凹部４１ａの中へ後退する。支持板４５が接触スイッチ７６のボタン７６ａに接触することで、接触スイッチ７６がＯＦＦからＯＮへと切り替わる。また、医療従事者がネームプレート５１から手を離すと、ネームプレート５１と支持板４５とは、ばね４４の弾性力で凹部４１ａから押し出されて前進する。支持板４５がボタン７６ａから離れることで、接触スイッチ７６は、ＯＦＦ状態になる。
【００４２】
廊下灯本体１２は、さらに第１のブランク部材８８と第２のブランク部材８９とを備える。第１のブランク部材８８は、縦の長さがＨ／２、横の長さが２Ｌである。第１のブランク部材８８は、嵌合部Ｓｖｗと嵌合するための支持結合子６７を背面に有する。具体的には、第１のブランク部材８８は、支持結合子６７を、背面の縦方向中央の部位において横方向にＬ／２の等間隔に離間して４つ設けられる。  
第１のブランク部材８８は、表示ユニット２４と同じ奥行き寸法を有する。従って第１のブランク部材８８が取付部２５に取付けられると、第１のブランク部材８８の前面と表示ユニット２４の前面、すなわち表示面とが、面一となる。
【００４３】
また第２のブランク部材８９は、縦の長さがＨ、横の長さがＬ／２である。第２のブランク部材８９は、嵌合部Ｓｖｗと嵌合するための支持結合子６７を、背面に第１のブランク部材８８と同様に有する。具体的には、第２のブランク部材８９は、背面の横方向中央の部位において縦方向にＨ／２の間隔で離間して支持結合子６７が２つ設けられている。第２のブランク部材８９は、表示ユニット２４と同じ奥行き寸法を有する。従って第２のブランク部材８９が取付部２５に取付けられると、第２のブランク部材８９の前面と表示ユニット２４の前面、すなわち表示面とが、面一となる。
【００４４】
制御部１７は、前述したように、第１のケース端子３６をプラス電源に接続し、第２のケース端子３７をグランドに接地させる。また制御部１７は、第１のケース端子３６に流す電流および電圧の制御機能を内部に有する。さらに制御部１７は、個々の第１のケース端子３６および第２のケース端子３７を流れる電流量を検出する検知機能を内部に有する。
【００４５】
次に廊下灯ユニット１１の作用について説明する。  
まず、表示ユニット２４は、廊下灯ユニット１１が設置される病室の入院患者数と同数用意する。例えば６人用の病室に６人入院していた場合には６個、４人入院していた場合には４個である。  
次に、用意した表示ユニット２４を、本体ケース２１の取付部２５に取付ける。具体的には、表示ユニット２４の結合子６４，６５，６６，６７を取付部２５の嵌合部Ｓｖｗにそれぞれ差し込み、表示ユニット２４を本体ケース２１に固定する。
【００４６】
人数に合わせた表示ユニット２４の配置例を図５に示す。図５（ａ）は、６個の表示ユニット２４を６人部屋用の廊下灯ユニット１１の取付部２５に配置する場合の配置図である。表示ユニット２４は、縦に３行、横に２列の正方配列に設けられている。つまり、６個の表示ユニット２４が、装着部Ｐ１１，Ｐ１３，Ｐ３１，Ｐ３３，Ｐ５１，Ｐ５３に装着される。この場合、第１のブランク部材８８および第２のブランク部材８９は取付けない。
【００４７】
図５（ｂ）は、４個の表示ユニット２４を６人部屋用の廊下灯ユニット１１の取付部２５に配置する場合の配置図である。表示ユニット２４は、縦に２行、横に２列の正方配列に設けられている。つまり、４個の表示ユニット２４が、装着部Ｐ２１，Ｐ２３，Ｐ４１，Ｐ４３に装着される。この場合、装着部Ｐ２１，Ｐ２３の上側には横幅２Ｌ縦幅Ｈ／２の空隙部が生じる。この空隙部を埋めるように、嵌合部Ｓ１ｗを使って第１のブランク部材８８を取付ける。また装着部Ｐ４１，Ｐ４３の下側にできる空隙部にも同様に、嵌合部Ｓ６ｗを使って第１のブランク部材８８を取付ける。
【００４８】
図５（ｃ）は、３個の表示ユニット２４を６人部屋用の廊下灯ユニット１１の取付部２５に配置する場合の配置図である。表示ユニット２４は、縦に３行、横に１列の正方配列に設けられる。つまり３個の表示ユニット２４が、装着部Ｐ１２，Ｐ３２，Ｐ５２に装着される。この場合、装着部Ｐ１２，Ｐ３２，Ｐ５２の左右側に空隙部が生じるので、表示ユニット２４の左右の嵌合部Ｓｖ１，Ｓｖ４を使って縦に３個ずつ第２のブランク部材８９を取付ける。
【００４９】
図５（ｄ）は、２個の表示ユニット２４を６人部屋用の廊下灯ユニット１１の取付部２５に配置する場合の配置図である。表示ユニット２４は、縦に２行、横に１列の正方配列に設けられる。つまり、２個の表示ユニット２４が、装着部Ｐ２２，Ｐ４２に装着される。この場合、装着部Ｐ２２の上側、装着部Ｐ４２の下側、および装着部Ｐ２２，Ｐ４２の左右両側にそれぞれ空隙部が生じる。この場合、上側および下側の空隙部の嵌合部Ｓ１ｗ，Ｓ６ｗを使って第１のブランク部材８８を取付ける。また左右両側の空隙部の嵌合部Ｓ２１，Ｓ３１，Ｓ４１，Ｓ５１，Ｓ２４，Ｓ３４，Ｓ４４，Ｓ５４を使って第２のブランク部材８９を縦に２個ずつ並べて取付ける。
【００５０】
以上のようにして表示ユニット２４を本体ケース２１に取付けると、第１のケース端子３６には、第１および第２のユニット端子７１，７２の一方が接続される。そして、第１のケース端子３６に接続されない他方の第１または第２のユニット端子７１，７２は、第２のケース端子３７に接続される。
【００５１】
第１のユニット端子７１と第２のユニット端子７２との間には、ＬＥＤ７５が接続されている。従って、制御部１７が第１のケース端子３６に所定の電圧を加えると、ＬＥＤ７５が発光する。ここで制御部１７により、第１のケース端子３６に一定の電圧を加えつづけることで、ＬＥＤ７５は、第１の点灯状態としての「常灯」状態となる。
【００５２】
制御部１７が第１のケース端子３６に一定の電圧を加えると、第１のユニット端子７１と第２のユニット端子７２との間に流れる電流量とは異なる値の電流が、第３のユニット端子７３と第２のユニット端子７２との間に流れる。制御部１７は、前述した検知機能を有する。そこで、各ケース端子に順番に電圧を印加することで、制御部１７は、第１のケース端子３６および第２のケース端子３７に流れる電流量を個々に検知し、どの嵌合部Ｓｖｗに、どの結合子６４，６５，６６が勘合しているのかを認知することができる。
【００５３】
従って、制御部１７は、どの装着部Ｐｍｎに表示ユニット２４がどんな向きで装着されているのかまで検出することができる。そこで子機１５の呼出ボタンまたは握ボタン１６と、これに対応する表示ユニット２４を、続けて、あるいは同時に操作し、２つの関連性を入力することなどにより、制御部１７は、この検出した結果に基づいて、各患者の子機１５へ繋がる信号線と、該患者のネームプレート５１を装着した表示ユニット２４とを対応させる。
【００５４】
上述のように、各子機１５と表示ユニット２４とが、個別に対応づけられている状態で、子機１５の呼出ボタンか握ボタン１６が患者等により操作されると、握ボタン１６からの信号が、制御部１７に入力される。制御部１７は、子機１５に対応した表示ユニット２４を判別する。そして、この表示ユニット２４が接続された第１のケース端子３６に加える電圧を変化させる。具体的には、第１のケース端子３６に所定の電圧を一定の時間間隔で断続的に加えることで、ＬＥＤ７５は、第２の点灯状態としての「点滅」状態となる。
【００５５】
また制御部１７は、呼出ボタンまたは握ボタン１６が押された旨の信号を親機１４に送信する。親機１４は、子機１５から信号が入力されたことを医療従事者に報知する。これにより医療従事者は呼出ボタンまたは握ボタン１６を押した患者が入院する病室に駆けつけることになる。このとき、駆けつけた医療従事者は、表示ユニット２４の「点滅」状態を見ることで、どの患者が呼出ボタンまたは握ボタン１６を操作したかを改めて確認することができる。
【００５６】
医療従事者がすでに病室に駆けつけた後も表示ユニット２４が「点滅」状態であると、他の医療従事者が、まだ握ボタン１６を操作した患者の措置がなされていないとの誤解をまねくおそれがある。そこで、病室に駆けつけた医療従事者は、表示ユニット２４の「点滅」状態を「常灯」状態に戻す操作を行う。
【００５７】
医療従事者は、表示ユニットケース４１の開口部５２ａから、ネームプレート５１を押すことで、接触スイッチ７６をＯＮ状態に切り替える。接触スイッチ７６がＯＮになると、第１のユニット端子７１と第２のユニット端子７２との間に流れる電流量が変化する。制御部１７は、検知機能によりこの電流量の変化を検出する。
【００５８】
制御部１７は、検知機能により、接触スイッチ７６が押されたことを認知した場合、第１のケース端子３６に再び一定の電圧を加え続ける。これにより、ＬＥＤ７５は、「点滅」状態から「常灯」状態へと戻ることになる。また、表示ユニット２４が、医療従事者以外の第３者によって「点滅」状態が解除されないように、他の表示ユニットとの組合せの操作により解除されるようにしたり、別途に解除用のキースイッチを設けるなども好ましい。
【００５９】
このような構成の廊下灯ユニット１１によれば、ネームプレート５１が取付けられる表示ユニット２４の装着位置を、患者数に合わせて容易に変更することができる。特に、装着部Ｐｍｎを一部が互いに重複するように正方配列に設けることで、任意の数の表示ユニット２４を、本体ケース２１の取付部２５の中央部にバランスよく配置することができる。つまり、この廊下灯ユニット１１は、病室の定員数によらず、同じ本体ケース２１を使用して在室する患者の数のみのネーム表示をするように表示ユニット２４をレイアウトすることができるので、見栄えがよい。
【００６０】
本実施形態では、装着部Ｐｍｎを縦方向にＨ／２、横方向にＬ／２の等間隔で一定に規則的に配置している。これにより、隣合う装着部Ｐｍｎどうしをより効果的に重複させることができる。すなわち、装着部Ｐｍｎどうしを効果的に重複させることで、表示ユニット２４の装着位置の選択肢を広げることができる。
【００６１】
表示ユニット２４は、結合子６４，６５と結合子６６，６７とを縦方向にＨ／２、結合子６４，６６と、結合子６５，６７とを横方向にＬ／２の間隔を隔てて配置されている。また嵌合部Ｓｖｗは、縦方向にＨ／２、横方向にＬ／２の等間隔で正方配置される。これにより、複数の嵌合部Ｓｖｗを複数の装着部Ｐｍｎで共有することができるため、嵌合部Ｓｖｗを設ける数を全体として少なくすることができる。従って、見栄えをよくするために構造が複雑化することを防止した廊下灯ユニットが、コスト高となってしまうことを抑制することができる。
【００６２】
本実施形態によれば、表示ユニット２４のネームプレート５１を押すことで、内蔵される接触スイッチ７６が操作される。また廊下灯ユニット１１は、接触スイッチ７６が押されたことを検出する検出機能を備える。これにより、医療従事者が、一度もナースセンターの親機を操作することなく、表示ユニット２４内の発光部の発光状態を通常の状態に戻すことができる。
【００６３】
廊下灯ユニット１１は、第３のユニット端子７３を有する第３の結合子６６を備える。また第３のユニット端子７３には、第２の抵抗器８６が接続されている。これにより、制御部１７は、表示ユニット２４がどのような配置でどのような向きを向いて装着されているのかを認知することができる。すなわち、制御部１７は、何人分の表示ユニット２４が装着されているのかを自動で認識し、それにともなう子機１５との信号線の接続を自動で行うことができる。また、表示ユニット２４が適切な場所に適切な向きで装着されていない場合には、第１のケース端子３６に電圧を加えない、などの機能を制御部１７にさらに持たせることで、誤動作の防止を図った廊下灯ユニットを得ることができる。
【００６４】
廊下灯ユニット１１は、第１のブランク部材８８と第２のブランク部材８９とを備える。これにより、本体ケース２１に、定員数より少ない数の表示ユニット２４を装着する場合にも、全体として見栄えのよい廊下灯ユニットを得ることができる。
【００６５】
なお、本実施形態では、本発明を６人部屋用の廊下灯ユニットを例に説明したが、もちろんこれに限らず、例えば４人部屋用や８人部屋用などのあらゆる定員の病室に対応する廊下灯ユニットに適用できる。
【００６６】
本実施形態では、装着部Ｐｍｎが列方向に沿ってＨ／２、行方向に沿ってＬ／２の等間隔をもって設けられた。しかし、本発明はこれに限定されず、列方向に沿って一つ置きに位置する装着部Ｐｍｎどうしの中心間距離がＨであり、行方向に沿って一つ置きに位置する装着部Ｐｍｎどうしの中心間距離がＬであればよい。このように装着部Ｐｍｎを配置することで、取付部２５に表示ユニット２４を取付けるときに、隣に装着されている表示ユニット２４と干渉を生じることがない。ただし、前述したように、装着部Ｐｍｎが列方向に沿ってＨ／２、行方向に沿ってＬ／２の等間隔をもって設けることで、本発明の効果をより発揮することができる。
【００６７】
本実施形態では、本体ケース２１に孔状の嵌合部Ｓｖｗを設け、表示ユニット２４に突起状の結合子６４，６５，６６，６７を設けた。本体ケース２１に突起状の嵌合子を設け、表示ユニットに孔状の結合部を設けてもよい。
【００６８】
本実施形態では、第２列と第４列の嵌合部Ｓｖ２，Ｓｖ４に第１のケース端子３６を設け、第１列と第３列の嵌合部Ｓｖ１とＳｖ３に第２のケース端子３７を設けたことに対し、これらを逆に設けてもよい。また、第１行、第３行、第５行の嵌合部Ｓ１ｗ，Ｓ３ｗ，Ｓ５ｗに第１のケース端子３６を設け、残りの嵌合部Ｓ２ｗ，Ｓ４ｗ，Ｓ６ｗに第２のケース端子３７を設けてもよく、またその逆でもよい。ただしこの場合は、それに併せて第１から第３の結合子６４，６５，６６，６７の配置も適宜変更する。
【００６９】
第１および第２のケース端子、ならびに第１から第３のユニット端子は、その機能を達成できるものであれば、形状は限定されない。また、第１および第２のケース端子を装着部Ｐｍｎの内で嵌合部Ｓｖｗ以外の場所に設けてもよい。いずれの装着部Ｐｍｎに表示ユニット２４を取付けた場合にも、第１から第３のユニット端子が、ケース端子とそれぞれ接続される場所であれば、その位置は限定されない。
【００７０】
表示ユニット２４の背面に設けられた支持結合子６７は無くてもよい。ただし支持結合子６７を設けたほうが、表示ユニット２４の本体ケース２１への取付けがより確実となる。また第３の結合子６６と支持結合子６７とを左右逆に設けてもよい。また第３の結合子６６には、第２のユニット端子７２が接続されるケース端子と同じ方のケース端子に接続される第３のユニット端子であって、第１のユニット端子７１と第３の配線８３で接続された第３のユニット端子を設けてもよい。  
また支持結合子６７の代わりに、第４のユニット端子を有する第４の結合子を設け、第４のユニット端子と第３のユニット端子７３とを第３の配線８３により接続してもよい。
【００７１】
本実施形態では、発光部の第１の点灯状態を「常灯」、第２の点灯状態を「点滅」としたが、もちろんこれに限られない。例えば、第１の点灯状態に比べて第２の点灯状態を明暗をつけて区別してもよい。また、さらに異なる色の発光を行うＬＥＤとその制御回路を組み込み、色彩によって区別してもよい。
【００７２】
表示ユニット内部の構成は、上述および図示した構成に限られない。外部から接触スイッチを押すことができ、ネームプレートを保持できる構成を有していれば同様の効果を得ることができる。また、電流変更手段は、接触スイッチ７６に限らず、異なる種類のセンサやこれらの組合せによって構成されてもよい。
【００７３】
次に本発明の第２の実施形態に係る廊下灯ユニット１１ａについて、図６を参照して説明する。なお第１の実施形態の廊下灯ユニット１１と同じ機能を有する構成は、同一の符号を付してその説明を省略する。  
第２の実施形態の廊下灯ユニット１１ａは、６人部屋用であって、本体ケース２１の取付部２５ａには、装着部Ｐｍｎが、第１の実施形態と同様の位置、すなわち図５（ａ）〜（ｄ）に示す位置に設けられる。嵌合部Ｓｖｗは、図６（ａ）に示すように縦方向にＨ／２の間隔で５行、横方向にＬ／２の間隔で３列の正方配列に配置される。
【００７４】
つまり、装着部Ｐｍｎと嵌合部Ｓｖｗとが一対一で対応している。図６（ａ）には、装着部Ｐ１１，Ｐ４２に装着された表示ユニット２４を２点鎖線で示す。例えば、図６（ｄ）に示すように、第１行第１列の装着部Ｐ１１に表示ユニット２４を取付ける場合、嵌合部Ｓ１１が使用される。  
また、例えば、第４行第２列の装着部Ｐ４２に表示ユニット２４を取付ける場合、嵌合部Ｓ４２を使用する。
【００７５】
表示ユニット２４は、図６（ｂ）に示すように、嵌合部Ｓｖｗに対応して１つの結合子１０２を備える。結合子１０２が嵌合部Ｓｖｗと嵌合することで、表示ユニット２４が本体ケース２１に取付けられる。結合子１０２は第１から第３のユニット端子７１〜７３を有する。各嵌合部Ｓｖｗは、図６（ｃ）に示すように、２つの第１のケース端子３６と、これらの間に設けられる第２のケース端子３７とを有する。結合子１０２が嵌合部Ｓｖｗに嵌合することで、第１のユニット端子７１および第３のユニット端子７３が、第１のケース端子３６に接続される。また第２のユニット端子７２が、第２のケース端子３７に接続される。
【００７６】
廊下灯ユニット１１ａをこのような構成にすることで、表示ユニット２４を図５（ａ）〜（ｄ）で示す配置位置と同様に配置することができる。なお、定員数に満たない個数の表示ユニット２４を配置する場合に生じる空隙は、取付部２５に適正に固定される係合部を有したブランク部材が取付けられる、つまり、ブランク部材を取付けるための専用の嵌合部を嵌合部Ｓｖｗとは別に設けてもよい。  
これにより、同じ形の取付部２５ａを有する本体ケース２１を使って、任意の数の表示ユニット２４を自由にレイアウトし、ネームプレートが見栄え良く装着される廊下灯ユニットを得ることができる。
【００７７】
次に本発明の第３の実施形態に係る廊下灯ユニット１１ｂについて、図７を参照して説明する。なお、第１および第２の実施形態の廊下灯ユニット１１，１１ａと同じ機能を有する構成は、同一の符号を付してその説明を省略する。  
第３の実施形態の廊下灯ユニット１１ｂもまた、６人部屋用であって、本体ケース２１の取付部２５ｂには、装着部Ｐｍｎが、第１の実施形態と同様の位置、すなわち図５（ａ）〜（ｄ）に示す位置に設けられる。嵌合部Ｓｖｗは、図７（ａ）に示すように縦方向にＨ／２の間隔で５行、横方向にＬの間隔で２列の正方配列に配置される。
【００７８】
基点となる第１行第１列の嵌合部Ｓ１１は、取付部２５ｂの左上隅から縦にＨ／２、横方向にＬ／４の位置に設けられる。表示ユニット２４の結合子１０２は、図７（ｂ）に示すように前側から見て縦方向にＨ／２、横方向に左からＬ／４の位置に設けられている。したがって、表示ユニット２４の上下を反転させると、前側から見て図７（ｃ）に示すように表示ユニット２４ｕとなる。
【００７９】
嵌合部Ｓｖｗは、図６（ｃ）に示すものと同じように、２つの第１のケース端子３６と、その間に配置される第２のケース端子３７との両方を有する。第１および第２のケース端子３６，３７は、嵌合部Ｓｖｗの中心を基点として上下左右対称に配置される。結合子１０２が嵌合部Ｓｖｗと嵌合することで、表示ユニット２４が本体ケース２１に取付けられる。したがって、表示ユニット２４を、図７（ｃ）に示すように上下反転させた表示ユニット２４ｕの状態で、取付部２５に取付けることができる。
【００８０】
装着部Ｐｍｎと嵌合部Ｓｖｗの関係は、一対一に対応せず、特に第２列の嵌合部Ｓｖ２は、第２列の装着部Ｐｍ２および第３列の装着部Ｐｍ３に表示ユニット２４を取付ける場合に使用される。
【００８１】
図７（ａ）において、装着部Ｐ１１，Ｐ２３，Ｐ５２に装着された表示ユニット２４，２４ｕは、２点鎖線で示される。例えば、第１行第１列の装着部Ｐ１１に表示ユニット２４を取付ける場合、嵌合部Ｓ１１を使用し、第２行第３列の装着部Ｐ２３に表示ユニット２４を取付ける場合は、嵌合部Ｓ２２を使用し、第５行第２列の装着部Ｐ５２に表示ユニット２４を取付ける場合は、上下を反転した表示ユニット２４ｕの状態にして、嵌合部Ｓ５２に配置することになる。
【００８２】
すなわち、本実施形態においては、表示ユニット２４を第２列の装着部Ｐｍ２に装着する場合には、表示ユニット２４を上下反転させて、図７（ｃ）に示す表示ユニット２４ｕの状態で配置することになる。これにより、第２列の嵌合部Ｓｖ２を、第２列および第３列の装着部Ｐｍ２，Ｐｍ３で共有することができる。
【００８３】
廊下灯ユニット１１ｂをこのような構成にすることで、表示ユニット２４を図５（ａ）〜（ｄ）で示すレイアウトと同様に配置することができる。なお、定員数に満たない個数の表示ユニット２４を配置する場合に生じる空隙は、取付部２５ｂに適正に固定される係合部を有したブランク部材が取付けられる、つまり、ブランク部材を取付けるための専用の嵌合部を嵌合部Ｓｖｗとは別に設けてもよい。
【００８４】
上記構成を有することにより、同じ形の取付部２５ｂを有する本体ケースを使って任意の数の表示ユニット２４を自由にレイアウトし、ネームプレートが見栄え良く装着される廊下灯ユニットを得ることができる。本実施形態にかかる廊下灯ユニット１１ｂは、廊下灯ユニット１１，１１ａに比べて少ない数の嵌合部Ｓｖｗで同様の効果を達成できる。
【００８５】
次に本発明の第４の実施形態に係る廊下灯ユニット１１ｃについて、図８を参照して説明する。なお第１から第３の実施形態の廊下灯ユニット１１，１１ａ，１１ｂと同じ機能を有する構成は、同一の符号を付してその説明を省略する。
【００８６】
第４の実施形態の廊下灯ユニット１１ｃもまた、６人部屋用であって、本体ケース２１の取付部２５ｃには、装着部Ｐｍｎが、第１の実施形態と同様の位置、すなわち図５（ａ）〜（ｄ）に示す位置に設けられる。嵌合部Ｓｖｗは、図８（ａ）に示すように、縦方向にＨ／２の間隔で６行、横方向にＬの間隔で２列の正方配列に配置される。基点となる第１行第１列の嵌合部Ｓ１１は、取付部２５ｃの左上隅から縦方向にＨ／４、横方向にＬ／４の位置に設けられる。
【００８７】
表示ユニット２４は、図８（ｂ）に示すように２つの結合子１０２ａ，１０２ｂを備える。結合子１０２ａは、前側から見て、左上隅から縦方向にＨ／４、横方向にＬ／４の位置に設けられ、第１のユニット端子７１と第２のユニット端子７２とを１８０°回転対称に有している。結合子１０２ｂは、結合子１０２ａと縦方向にＨ／２離れた位置に設けられ、前側から見て第１のユニット端子７１と同じ側に片寄った位置に第３のユニット端子７３を有している。表示ユニット２４を１８０°上下を反転させると、前側から見て図８（ｃ）に示す表示ユニット２４ｕとなる。
【００８８】
嵌合部Ｓｖｗは、図８（ｄ）に示すように、第１のケース端子３６、およびこれと１８０°対称の位置に第２のケース端子３７を有する。結合子１０２ａ，１０２ｂが嵌合部Ｓｖｗと嵌合することで、表示ユニット２４が本体ケース２１に取付けられる。図８（ｂ）に示す表示ユニット２４の状態で装着部Ｐｍｎに取付けられると、第１と第３のユニット端子７１，７３は、第１のケース端子３６と接続され、第２のユニット端子７２は、第２のケース端子３７と接続される。また表示ユニット２４が、図８（ｃ）に示すように上下反転させた表示ユニット２４ｕの状態で、装着部Ｐｍｎに取付けられると、第１と第３のユニット端子７１，７３は、第２のケース端子３７と接続され、第２のユニット端子７２は、第１のケース端子３６と接続される。
【００８９】
装着部Ｐｍｎと嵌合部Ｓｖｗの関係は、一対一に対応せず、特に第２列の嵌合部Ｓｖ２は、第２列の装着部Ｐｍ２および第３列の装着部Ｐｍ３に表示ユニット２４を取付ける場合に使用される。また、第１の実施形態同様に、第２行の嵌合部Ｓ２ｗは第１行の装着部Ｐ１ｎと第２行の装着部Ｐ２ｎとで共有される。以下同様に任意の行の嵌合部Ｓｖｗは、隣合う装着部Ｐｍｎで共有される。
【００９０】
図８（ａ）において、装着部Ｐ１１，Ｐ５２に装着された表示ユニット２４、２４ｕを２点鎖線で示す。例えば第１行第１列の装着部Ｐ１１に表示ユニット２４を取付ける場合、嵌合部Ｓ１１，Ｓ２１を使用する。第５行第２列の装着部Ｐ５２に表示ユニット２４を取付ける場合は、上下を反転した表示ユニット２４ｕの状態にし、嵌合部Ｓ５２，Ｓ６２を使って取付ける。
【００９１】
すなわち、本実施形態においては、表示ユニット２４を第２列の装着部Ｐｍ２に装着する場合には、表示ユニット２４を上下反転させて図８（ｃ）に示す表示ユニット２４ｕの状態で配置することになる。これにより、第２列の嵌合部Ｓｖ２を、第２列および第３列の装着部Ｐｍ２，Ｐｍ３で共有することができる。
【００９２】
廊下灯ユニット１１ｃをこのような構成にすることで、表示ユニット２４を図５（ａ）〜（ｄ）で示すレイアウトと同様に配置することができる。なお、定員数に満たない個数の表示ユニット２４を配置する場合に生じる空隙は、取付部２５ｃに適正に固定される係合部を有したブランク部材が取付けられる、つまり、ブランク部材を取付けるための専用の嵌合部を嵌合部Ｓｖｗとは別に設けてもよい。
【００９３】
上述の構成を有することにより、同じ形の取付部２５ｃを有する本体ケース２１を使って、任意の数の表示ユニット２４を自由にレイアウトし、ネームプレートが見栄え良く装着される廊下灯ユニットを得ることができる。本実施形態にかかる廊下灯ユニット１１ｃは、廊下灯ユニット１１，１１ａに比べて少ない数の嵌合部Ｓｖｗで同様の効果を達成できる。
【００９４】
次に本発明の第５の実施形態に係る廊下灯ユニット１１ｄについて、図９を参照して説明する。なお第１から第４の実施形態の廊下灯ユニット１１，１１ａ，１１ｂ，１１ｃと同じ機能を有する構成は、同一の符号を付してその説明を省略する。
【００９５】
第５の実施形態の廊下灯ユニット１１ｄもまた、６人部屋用であって、本体ケース２１の取付部２５ｄには、装着部Ｐｍｎが、第１の実施形態と同様の位置、すなわち図５（ａ）〜（ｄ）に示す位置に設けられる。嵌合部Ｓｖｗは、図９（ａ）に示すように、縦方向にＨの間隔で３行、横方向にＬ／２の間隔で４列の正方配列に配置される。基点となる第１行第１列の嵌合部Ｓ１１は、取付部２５ｄの左上隅から縦方向に（３／４）Ｈ、横方向にＬ／４の位置に設けられる。
【００９６】
嵌合部Ｓｖｗは、第４の実施形態で説明した図８（ｄ）に示すように、第１および第２のケース端子３６，３７を両方有する。表示ユニット２４は、図９（ｂ）に示すように結合子１０２ａ，１０２ｂを備える。結合子１０２ａは、縦方向に下からＨ／４、横方向に左からＬ／４の位置に設けられ、結合子１０２ｂは、結合子１０２ａと横方向にＬ／２離れた位置に設けられている。結合子１０２ａ，１０２ｂが嵌合部Ｓｖｗと嵌合することで、表示ユニット２４が本体ケース２１に取付けられる。したがって、表示ユニット２４を、図９（ｃ）に示すように上下反転させた表示ユニット２４ｕの状態で、取付部２５の偶数行の装着部Ｐｍｎに取付けることができる。
【００９７】
従って、装着部Ｐｍｎと嵌合部Ｓｖｗの関係は、表示ユニット２４を奇数行の第１行の装着部Ｐ１ｎ、第３行の装着部Ｐ３ｎ、第５行の装着部Ｐ５ｎに取付ける場合は、表示ユニット２４を図９（ｂ）に示す状態でＳｖｗに取付けられる。表示ユニット２４を偶数行の第２行の装着部Ｐ２ｎ、第４行の装着部Ｐ４ｎに取付ける場合には、表示ユニット２４を上下反転させた、図９（ｃ）に示す表示ユニット２４ｕの状態で、装着部Ｐｍｎに配置することになる。これにより、第１行の嵌合部Ｓ１ｗを第１行および第２行の装着部Ｐ１ｎ，Ｐ２ｎで共有し、第２行の嵌合部Ｓ２ｗを第３行および第４行の装着部Ｐ３ｎ，Ｐ４ｎで共有することができる。
【００９８】
図９（ａ）において、装着部Ｐ１１，Ｐ４２に装着された表示ユニット２４，２４ｕは、２点鎖線で示す。例えば、第１行第１列の装着部Ｐ１１に表示ユニット２４を取付ける場合、結合子１０２ａが嵌合部Ｓ１１に挿入され、結合子１０２ｂが嵌合部Ｓ１２に挿入される。同様に、装着部Ｐ１２に表示ユニット２４を取付ける場合は、嵌合部Ｓ１２、Ｓ１３を使用し、装着部Ｐ１３に表示ユニット２４を取付ける場合は、嵌合部Ｓ１３，Ｓ１４を使用して配置されることになる。また、第４行第２列の装着部Ｐ４２に表示ユニット２４を取付ける場合は、上下を反転した表示ユニット２４ｕの状態にして、嵌合部Ｓ２２，Ｓ２３を使って配置する。
【００９９】
廊下灯ユニット１１ｄをこのような構成にすることで、表示ユニット２４を図５（ａ）〜（ｄ）で示すレイアウトと同様に配置することができる。なお、定員数に満たない個数の表示ユニット２４を配置する場合に生じる空隙は、取付部２５ｄに適正に固定される係合部を有したブランク部材が取付けられる、つまり、ブランク部材を取付けるための専用の嵌合部を嵌合部Ｓｖｗとは別に設けてもよい。
【０１００】
以上の構成にすることにより、同じ形の取付部２５ｄを有する本体ケース２１を使って、任意の数の表示ユニットを自由にレイアウトし、ネームプレートが見栄え良く装着される廊下灯ユニットを得ることができる。なお本実施形態にかかる廊下灯ユニット１１ｄは、廊下灯ユニット１１，１１ａに比べて少ない数の嵌合部Ｓｖｗで同様の効果を達成できる。
【０１０１】
次に本発明の第６の実施形態に係る廊下灯ユニット１１ｅについて、図１０を参照して説明する。なお第１から第５の実施形態の廊下灯ユニット１１，１１ａ，１１ｂ，１１ｃ，１１ｄと同じ機能を有する構成は、同一の符号を付してその説明を省略する。特に本実施形態における嵌合部Ｓｖｗおよびこれに設けられる第１のケース端子３６、第２のケース端子３７と、結合子１０２およびこれに設けられる第１のユニット端子７１、第２のユニット端子７２、第３のユニット端子７３との関係は、第２および第３の実施形態と同じである。
【０１０２】
第６の実施形態における廊下灯ユニット１１ｅもまた、６人部屋用であって、本体ケース２１の取付部２５ｅには、装着部Ｐｍｎが、第１の実施形態と同様の位置、すなわち図５（ａ）〜（ｄ）に示す位置に設けられる。嵌合部Ｓｖｗは、図１０（ａ）に示すように、縦方向にＨの間隔で３行、横方向にＬ／２の間隔で３列の正方配列に配置される。基点となる第１行第１列の嵌合部Ｓ１１は、取付部２５ｅの左上隅から縦方向に（３／４）Ｈ、横方向にＬ／２の位置に設けられている。表示ユニット２４の結合子１０２は、図１０（ｂ）に示すように、前側から見て縦方向に下からＨ／４、横方向にＬ／２の位置に設けられている。
【０１０３】
嵌合部Ｓｖｗは、図６（ｃ）に示すように、２つの第１のケース端子３６および第２のケース端子３７の両方を有する。第１および第２のケース端子３６，３７は、嵌合部Ｓｖｗの中心を基点として上下左右対称に配置される。
【０１０４】
結合子１０２が嵌合部Ｓｖｗと嵌合することで、表示ユニット２４が本体ケース２１に取付けられる。したがって、表示ユニット２４を、図１０（ｃ）に示すように上下反転させた表示ユニット２４ｕの状態で、取付部２５ｅに取付けることができる。
【０１０５】
装着部Ｐｍｎと嵌合部Ｓｖｗの関係は、一対一に対応するものではなく、特に第１行の嵌合部Ｓ１ｗは、第１行の装着部Ｐ１ｎおよび第２行の装着部Ｐ２ｎに表示ユニット２４を取付ける場合に使用され、第２行の嵌合部Ｓ２ｗは、第３行の装着部Ｐ３ｎおよび第４行の装着部Ｐ４ｎに表示ユニットを取付ける場合に使用される。
【０１０６】
図１０（ａ）において、装着部Ｐ１１，Ｐ４３に装着された表示ユニット２４，２４ｕは、２点鎖線で示す。例えば、第１行第１列の装着部Ｐ１１に配置される表示ユニット２４の結合子１０２は、嵌合部Ｓ１１と係合する。第４行第３列の装着部Ｐ４３に配置される表示ユニット２４の結合子１０２は、図１０（ｃ）に示す上下反転された表示ユニット２４ｕの状態で嵌合部Ｓ２３と係合する。
【０１０７】
すなわち、本実施形態においては、表示ユニット２４を第２行および第４行の装着部Ｐ２ｎ，Ｐ４ｎに装着する場合には、表示ユニット２４を上下反転させて、図１０（ｃ）に示す表示ユニット２４ｕの状態で配置することになる。これにより、第１行の嵌合部Ｓ１ｗを第１行および第２行の装着部Ｐ１ｎ，Ｐ２ｎで共有し、第２行の嵌合部Ｓ２ｗを第３行および第４行の装着部Ｐ３ｎ，Ｐ４ｎで共有することができる。
【０１０８】
廊下灯ユニット１１ｅをこのような構成にすることで、表示ユニット２４を図５（ａ）〜（ｄ）で示すレイアウトと同様に配置することができる。なお、定員数に満たない個数の表示ユニット２４を配置する場合に生じる空隙は、取付部２５ｅに適正に固定される係合部を有したブランク部材が取付けられる、つまり、ブランク部材を取付けるための専用の嵌合部を嵌合部Ｓｖｗとは別に設けてもよい。
【０１０９】
これにより、同じ形の取付部２５ｅを有する本体ケース２１を使用し、任意の数の表示ユニット２４を自由にレイアウトすることで、ネームプレートが見栄え良く装着される廊下灯ユニットを得ることができる。なお本実施形態にかかる廊下灯ユニット１１ｅは、他の実施形態の廊下灯ユニット１１，１１ａ，１１ｂ，１１ｃ，１１ｄに比べて少ない数の嵌合部Ｓｖｗで同様の効果を達成できる。
【０１１０】
次に本発明の第７の実施形態に係る廊下灯ユニット１１ｆについて、図１１を参照して説明する。なお第１から第６の実施形態の廊下灯ユニット１１，１１ａ，１１ｂ，１１ｃ，１１ｄ，１１ｅと同じ機能を有する構成は、同一の符号を付してその説明を省略する。
【０１１１】
第７の実施形態の廊下灯ユニット１１ｆもまた、６人部屋用であって、本体ケース２１の取付部２５ｆには、装着部Ｐｍｎが、第１の実施形態と同様の位置、すなわち図５（ａ）〜（ｄ）に示す位置に設けられる。嵌合部Ｓｖｗは、図１１（ａ）に示すように配置される。具体的に、嵌合部Ｓｖｗは、同じ列で縦方向にＨ／２の間隔で奇数列には５行、同じ列で縦方向にＨ／４、横方向にＬ／２の間隔で４列、および第６行の偶数列が菱形配列に設けられている。同じ行の偶数列の嵌合部Ｓｖ２，Ｓｖ４は、奇数列の嵌合部Ｓｖ１，Ｓｖ３よりもＨ／４上にずれて設けられている。基点となる第１行第１列の嵌合部Ｓ１１は、取付部２５ｆの左上隅から縦方向にＨ／２、横方向にＬ／４の位置に設けられる。
【０１１２】
表示ユニット２４は、図１１（ｂ）に示すように結合子６４，６５，６６を備える。結合子６５は、前側から見て、縦方向に上からＨ／２、横方向にＬ／４の位置に設けられる。結合子６４は、結合子６５と横方向にＬ／２、縦方向に上にＬ／４離れた位置に設けられ、結合子６６は、結合子６５と横方向にＬ／２、縦方向に下にＬ／４離れた位置に設けられる。結合子６４，６５，６６が嵌合部Ｓｖｗと嵌合することで、表示ユニット２４が本体ケース２１に取付けられる。また表示ユニット２４を、図１１（ｃ）に示すように上下反転させた表示ユニット２４ｕの状態で、取付部２５に取付けることができる。
【０１１３】
従って、装着部Ｐｍｎと嵌合部Ｓｖｗの関係は、表示ユニット２４を第１列および第３列の装着部Ｐｍ１，Ｐｍ３に装着する場合には、図１１（ｂ）で示す向きで配置し、表示ユニット２４を第２列の装着部Ｐｍ２に装着する場合には、表示ユニット２４を上下反転させた図１１（ｃ）に示す表示ユニット２４ｕの状態で配置することになる。これにより、第２列の嵌合部Ｓｖ２を第１列および第２列の装着部Ｐｍ１，Ｐｍ２で共有し、第３列の嵌合部Ｓｖ３を第２列および第３列の装着部Ｐｍ２，Ｐｍ３で共有することができる。
【０１１４】
図１１（ａ）には、装着部Ｐ１１，Ｐ４２に装着された表示ユニット２４，２４ｕを２点鎖線で示す。例えば第１行第１列の装着部Ｐ１１に表示ユニット２４を取付ける場合は、結合子６４が嵌合部Ｓ１２、結合子６５が嵌合部Ｓ１１、結合子６６がＳ２２に挿入される。第４行第２列の装着部Ｐ４２へ表示ユニット２４を取付ける場合は、図１１（ｃ）で示す表示ユニット２４ｕの状態にして取付けられ、結合子６４が嵌合部Ｓ５２、結合子６５が嵌合部Ｓ４３、結合子６６が嵌合部Ｓ４２に挿入される。
【０１１５】
廊下灯ユニット１１ｆをこのような構成にすることで、表示ユニット２４を図５（ａ）〜（ｄ）で示すレイアウトと同様に配置することができる。なお、定員数に満たない個数の表示ユニット２４を配置する場合に生じる空隙は、取付部２５ｆに適正に固定される係合部を有したブランク部材が取付けられる、つまり、ブランク部材を取付けるための専用の嵌合部を嵌合部Ｓｖｗとは別に設けてもよい。
【０１１６】
これにより、同じ形をした取付部２５ｆを有する本体ケース２１を使用し、任意の数の表示ユニット２４を自由にレイアウトすることで、ネームプレートが見栄え良く装着される廊下灯ユニットを得ることができる。なお本実施形態にかかる廊下灯ユニット１１ｆは、廊下灯ユニット１１に比べて少ない数の嵌合部Ｓｖｗで同様の効果を達成できる。また１つの結合子に１つのユニット端子を設けるだけで良いので、第２ないし第６の実施形態に比べ、結合子の構造を単純化できる。
【０１１７】
なお、第２から第７の実施形態において、ユニット端子およびケース端子の接続は、各図中前面と平行な面で接触するかのごとく図示されているが、結合子の軸線方向に差し込まれてもよい。また、結合子の挿入方向にユニット端子およびケース端子を並べて配置してもよい。
【図面の簡単な説明】
【０１１８】
【図１】本発明に係る第１の実施形態の廊下灯ユニットを含むナースコールシステムのブロック図。
【図２】図１中に示した廊下灯ユニットの分解斜視図。
【図３】図１中に示した表示ユニットの断面図。
【図４】図３中に示した表示ユニットの回路図。
【図５】図１に示した廊下灯ユニットの表示ユニットの配置例について示し、（ａ）は、６つの寝台のうち６つとも利用される場合の表示ユニットの配置図、（ｂ）は、６つの寝台のうち４つが利用される場合の表示ユニットの配置図、（ｃ）は、６つの寝台のうち３つが利用される場合の表示ユニットの配置図、（ｄ）は、６つの寝台のうち２つが利用される場合の表示ユニットの配置図。
【図６】本発明に係る第２の実施形態の廊下灯ユニットについて示し、（ａ）は、取付部に設けられる嵌合部の配置図、（ｂ）は、嵌合部を利用して装着部に取付けられる表示ユニットの正面図、（ｃ）は、嵌合部に設けられる端子の配置図。
【図７】本発明に係る第３の実施形態の廊下灯ユニットについて示し、（ａ）は、取付部に設けられる嵌合部の配置図、（ｂ）は、嵌合部を利用して奇数列の装着部に取付けられる状態の表示ユニットの正面図、（ｃ）は、嵌合部を利用して偶数列の装着部に取付けられる状態の表示ユニットの正面図。
【図８】本発明に係る第４の実施形態の廊下灯ユニットについて示し、（ａ）は、取付部に設けられる嵌合部の配置図、（ｂ）は、嵌合部を利用して奇数列の装着部に取付けられる状態の表示ユニットの正面図、（ｃ）は、嵌合部を利用して偶数列の装着部に取付けられる状態の表示ユニットの正面図、（ｄ）は、嵌合部に設けられる端子の配置図。
【図９】本発明に係る第５の実施形態の廊下灯ユニットについて示し、（ａ）は、取付部に設けられる嵌合部の配置図、（ｂ）は、嵌合部を利用して奇数行の装着部に取付けられる状態の表示ユニットの正面図、（ｃ）は、嵌合部を利用して偶数行の装着部に取付けられる状態の表示ユニットの正面図。
【図１０】本発明に係る第６の実施形態の廊下灯ユニットについて示し、（ａ）は、取付部に設けられる嵌合部の配置図、（ｂ）は、嵌合部を利用して奇数行の装着部に取付けられる状態の表示ユニットの正面図、（ｃ）は、嵌合部を利用して偶数行の装着部に取付けられる状態の表示ユニットの正面図。
【図１１】本発明に係る第７の実施形態の廊下灯ユニットについて示し、（ａ）は、取付部に設けられる嵌合部の配置図、（ｂ）は、嵌合部を利用して奇数列の装着部に取付けられる状態の表示ユニットの正面図、（ｃ）は、嵌合部を利用して偶数列の装着部に取付けられる状態の表示ユニットの正面図。
【符号の説明】
【０１１９】
Ｐｍｎ…装着部、Ｓｖｗ…嵌合部、１１…廊下灯ユニット、１２…廊下灯本体、１３…ナースコールシステム、１７…制御部、２１…本体ケース、２４…表示ユニット、２５…取付部、３６…第１のケース端子、３７…第２のケース端子、４２…係合部、６４…第１の結合子、６５…第２の結合子、６６…第３の結合子、６７…支持結合子、７１…第１のユニット端子、７２…第２のユニット端子、７３…第３のユニット端子、７５…ＬＥＤ、７６…接触スイッチ、８６…第２の抵抗器、８８…第１のブランク部材、８９…第２のブランク部材
【図１】
2006296851.tif 000003
【図２】
2006296851.tif 000004
【図３】
2006296851.tif 000005
【図４】
2006296851.tif 000006
【図５】
2006296851.tif 000007
【図６】
2006296851.tif 000008
【図７】
2006296851.tif 000009
【図８】
2006296851.tif 000010
【図９】
2006296851.tif 000011
【図１０】
2006296851.tif 000012
【図１１】
2006296851.tif 000013